(57)【要約】【課題】燃焼装置側にドレンが逆流せず中和されたドレンを確実に排出させる燃焼装置用の中和器。【解決手段】ドレン回収通路19と接続する第１中和器4及び第１中和器に連通管6を介して接続する第２中和器5を備える。第１中和器4は中和剤が充填される第１ケーシング41及びこの内部を下部が連通した状態で上流側室44と下流側室45とに仕切る仕切り板43を備える。上流側室44の上部で開口するドレン回収通路19、これより低い位置で上流側室44に開口する連通管6及び連通管6より低い位置で下流側室45に開口する第１ドレン排出通路42を第１ケーシング41に接続する。第２中和器5は、中和剤が充填されて連通管6と第２ドレン排出通路52とが接続される第２ケーシング51を備える。第２ドレン排出通路52は連通管6の開口部よりも低い位置で開口する。連通管6は第１中和器4から第２中和器5に下方に向かって傾斜させて各ケーシング41，51に接続する。【選択図】図１
2010276248.tif 000002
【特許請求の範囲】
【請求項１】
燃焼装置内に設けられる潜熱回収型熱交換器で発生した酸性ドレンを中和する燃焼装置用中和器であって、
前記燃焼装置内に設けられるドレン受けに対してドレン回収通路を介して接続される第１中和器と、第１中和器に連通管を介して接続される第２中和器とを備え、
第１中和器は、上部に空間を有するように中和剤が充填される第１ケーシングと、第１ケーシング内を下部が連通した状態で上流側室と下流側室とに仕切る仕切り板とを備え、第１ケーシングには、前記上流側室における中和剤より上方位置で開口するように前記ドレン回収通路及び前記連通管の一端側が接続され、下流側室における中和剤より上方位置で開口するように第１ドレン排出通路が接続され、前記連通管は前記ドレン回収通路の開口部よりも低い位置で開口させ、第１ドレン排出通路は前記連通管の開口部よりも低い位置で開口させており、
第２中和器は、上部に空間を有するように中和剤が充填される第２ケーシングを備え、第２ケーシングには、中和剤より上方位置で開口するように前記連通管の他端側と第２ドレン排出通路とが接続され、第２ドレン排出通路は前記連通管の他端側開口部よりも低い位置で開口させていることを特徴とする燃焼装置用中和器。
【請求項２】
請求項１に記載の燃焼装置用中和器において、
第２中和器は、第２ケーシング内部を下部が連通した状態で上流側室と下流側室とに仕切る仕切り板を備え、第２ケーシングの前記上流側室に前記連通管を開口させ、前記下流側室に第２ドレン排出通路を開口させている燃焼装置用中和器。
【請求項３】
請求項１または２に記載の燃焼装置用中和器において、
第１中和器におけるドレンの詰まりを検出する詰まり検出手段と前記詰まり検出手段の検出結果に基づいて第１中和器でのドレンの詰まりを報知する報知手段とを備える燃焼装置用中和器。
【請求項４】
請求項１から請求項３の何れかに記載の燃焼装置用中和器において、
第１中和器は、前記ドレン回収通路を介して複数の燃焼装置に接続されていることを特徴する燃焼装置用中和器。
【発明の詳細な説明】
【技術分野】
【０００１】
本発明は、例えばガスや石油を用いた給湯器や温水循環式暖房機等の燃焼装置において、熱交換器として潜熱回収型熱交換器を備える場合に、この潜熱回収型熱交換器で発生するドレン水を中和するための燃焼装置用中和器に関するものである。
【背景技術】
【０００２】
例えば、給湯器や温水循環式暖房機等が備えるガス燃焼装置では、供給される水と燃焼排気とを熱交換し、この燃焼排気から顕熱を吸熱する主熱交換器を備える。さらに、この種のガス燃焼装置では、燃焼排気からの熱交換効率を上げるために、この主熱交換器の他に、主熱交換器によって冷却された燃焼排気から潜熱を吸熱する潜熱回収型熱交換器を備えた構成のものがある(例えば特許文献１参照)。
【０００３】
主熱交換器と潜熱回収型熱交換器とを二段式に配置させたガス燃焼装置は、ガスバーナの燃焼によって生じた燃焼排気から、まず主熱交換器で顕熱を吸熱し、次いで、潜熱回収型熱交換器で主熱交換器により冷却された燃焼排気から潜熱を吸熱するようになっている。
【０００４】
そして、潜熱回収型熱交換器を通過した燃焼排気は燃焼排気通路を通って燃焼装置の外に排気される。このようにガス燃焼装置に供給される水は、ガスバーナの燃焼によって生じた燃焼排気から顕熱及び潜熱を吸熱することにより効率よく熱交換することができる。
【０００５】
また、潜熱回収型熱交換器では、燃焼排気の潜熱を吸熱することにより、燃焼排気が冷却されて、燃焼排気中の水蒸気が凝縮され、ドレンが発生する。そして、ドレンは、潜熱回収型熱交換器の下方に設けたドレン受けに集められて、排水管から燃焼装置の外部に排水される。
【０００６】
しかし、このドレンは、燃焼排気中の硫黄酸化物や窒素酸化物等を吸収しｐＨ４程度の酸性となっている。このドレンをそのまま装置外部に排水すると排水管が腐食してしまうため、例えば特許文献１に開示されているように、ドレン受けで受けたドレンを炭酸カルシウムや酸化マグネシウム等の中和剤が充填された中和器で中和し、その後、配水管に排出するようにしている。
【先行技術文献】
【特許文献】
【０００７】
【特許文献１】特開２００７−３０９５９０号公報
【発明の概要】
【発明が解決しようとする課題】
【０００８】
しかしながら、ドレンを中和器で中和処理した場合、中和処理によって生成された反応生成物等が中和器内で中和剤の間に溜まって詰まりが生じたり、排水管で詰まったりして、ドレンが中和器の外部に排出されなくなる場合がある。
【０００９】
そして、中和器からドレンが排出されなくなった状態で、燃焼装置の駆動を継続させると、中和器内にドレンが充満し、酸性のドレンがドレン受けへと逆流して装置内部の金属製の部品を腐蝕させて、燃焼部に悪影響を及ぼしてしまう。また、複数台の燃焼装置を連結して１台の中和器でドレンを一括して中和するものでは、ドレンの燃焼装置側への逆流が顕著となり得る。
【００１０】
本発明は、上記問題に鑑みて成したものであり、中和器において中和処理によって反応生成物等が生成されて中和器内に堆積されて詰まりが生じてドレンが中和器から排出されずに溜まっていくようなことがあっても、ドレンの燃焼装置側への逆流を防ぐことができ、かつ、中和されたドレンを確実に外部に排出できる燃焼装置用中和器を提供することを目的とする。
【課題を解決するための手段】
【００１１】
本発明に係る燃焼装置用中和器は、燃焼装置内に設けられる潜熱回収型熱交換器で発生した酸性ドレンを中和する燃焼装置用中和器であって、前記燃焼装置内に設けられるドレン受けに対してドレン回収通路を介して接続される第１中和器と、第１中和器に連通管を介して接続される第２中和器とを備え、
第１中和器は、上部に空間を有するように中和剤が充填される第１ケーシングと、第１ケーシング内を下部が連通した状態で上流側室と下流側室とに仕切る仕切り板とを備え、第１ケーシングには、前記上流側室における中和剤より上方位置で開口するように前記ドレン回収通路及び前記連通管の一端側が接続され、下流側室における中和剤より上方位置で開口するように第１ドレン排出通路が接続され、前記連通管は前記ドレン回収通路の開口部よりも低い位置で開口させ、第１ドレン排出通路は前記連通管の開口部よりも低い位置で開口させており、
第２中和器は、上部に空間を有するように中和剤が充填される第２ケーシングを備え、第２ケーシングには、中和剤より上方位置で開口するように前記連通管の他端側と第２ドレン排出通路とが接続され、第２ドレン排出通路は前記連通管の他端側開口部よりも低い位置で開口させていることを特徴とする。
【００１２】
上記構成によれば、通常は、第１中和器の第１ケーシングにドレンが貯留されていき、ドレンは第１中和器の中和剤で中和される。そして、第１中和器では、前記仕切り板により、第１ケーシング内が前記上流側室と前記下流側室とに下部が連通した状態で仕切きられるので、前記ドレン回収通路から前記上流側室の上部に流入した酸性ドレンは、前記上流側室において上部から下部に向かって底部まで至った後、前記下流側室に移って下部から上部に向かって流れて中和剤の略全体を通過して中和された後に第１ドレン排出通路から外部に排出される。本発明では、中和剤の略全体を通過させることができるので、中和剤全体を有効に用いることができる。
【００１３】
また、万一、反応生成物等の堆積により第１中和器に詰まりが生じてドレンが第１中和器の第１ドレン排出通路から排出されずに第１ケーシング内に溜まっていくようなことがあっても、ドレンは、第１ケーシングから前記連通管を介して第２中和器の第２ケーシング内に流出する。そして、第２中和器に流れ込んだドレンは、第２中和器の中和剤で中和された後に、第２ドレン排出通路から外部に排水される。
【００１４】
このように、本発明では、反応生成物等の堆積により第１中和器の第１ドレン排出通路から外部にドレンを排出することができなくなっても、第１中和器から前記連通管を介して第２中和器にドレンを送ることができるので、ドレンは第２中和器で中和された後に外部に排出することができる。その結果、ドレンが第１中和器から燃焼装置側に逆流してしまうことがないので、燃焼装置の金属部分が酸性ドレンによって腐蝕するのを防止できる。
【００１５】
さらに、第１中和器の第１ドレン排出通路からドレンが排出できなくなっても、第１中和器内のドレンは自動的に第２中和器に回収されて中和処理されるので、燃焼装置を使用し続けることができる。さらに、本発明の燃焼装置用中和器は、二つの中和器を備えるが、これら中和器は、一方の中和器が故障した時に切換弁により他方の中和器に切り換える構成とする場合に比べて、切換弁を用いる必要がなく構造を簡単にでき、しかも、第１中和器に不具合が生じた場合に自動的に第２中和器でドレンを中和することができる。また、第1中和器からドレンを排出できなくなった状態で燃焼装置を使用し続けることにより発生したドレンは第２中和器で処理するため、第２中和器は、第1中和器において不具合が生じてからメンテナンスを行なうまでの間のドレン中和処理能力があれば足り、第２中和器は第１中和器よりも小さくすることができる。
【００１６】
また、第２中和器は、第２ケーシング内部を下部が連通した状態で上流側室と下流側室とに仕切る仕切り板を備え、第２ケーシングの前記上流側室に前記連通管を開口させ、前記下流側室に第２ドレン排出通路を開口させる構成とすることが好ましい。このような構成により、第２中和器においても、第２ケーシング内に流入した酸性ドレンは前記上流側室において上部から下部に向かって底部まで至った後、前記下流側室に移って下部から上部に向かって流れて中和剤の略全体を通過させることができるので、中和剤全体を有効に用いることができる。
【００１７】
さらに、第１中和器におけるドレンの詰まりを検出する詰まり検出手段と前記詰まり検出手段の検出結果に基づいて第１中和器でのドレンの詰まりを報知する報知手段とを備える構成とすることが好ましい。このような構成により、第１中和器に詰まりが検出された場合でも、前記報知手段によるエラー報知により第１中和器のメンテナンスを促しつつ、第２中和器を用いて燃焼装置を使用し続けることができ、使い勝手が向上される。また、第１中和器の詰まりを検出してエラー報知されてから、所定時間経過後に燃焼装置を停止させるようにしてもよく、この場合も安全性を確保することができる。なお、第２中和器の詰まりも検出するように構成する場合には、第２中和器の詰まりを検出したときに燃焼装置を停止するようにすれば、メンテナンスされずに使い続けても、ドレンが第１中和器から燃焼装置側には逆流しないので安全性を確保できる。
【００１８】
さらに、本発明の燃焼装置用中和器は、第１中和器が前記ドレン回収通路を介して複数の燃焼装置に接続されるように構成することもできる。複数の燃焼装置に対してそれぞれ個別に中和器を設けた場合、各中和器内の中和剤の交換は、中和器毎に個別に行う必要がある。しかしながら、本発明は、第１中和器を複数の燃焼装置に接続されるように構成しているので、各燃焼装置で発生したドレンを一括して第１中和器に回収することができ、中和器毎に中和剤の交換を行う煩雑な作業を行なう必要が無くなる。
【発明の効果】
【００１９】
本発明の燃焼装置用中和器によれば、第１中和器の第１ドレン排出通路から外部にドレンを排出することができなくなっても、第１中和器から前記連通管を介して第２中和器にドレンを送り、中和されたドレンを第２中和器から外部に確実に排出することができる。その結果、ドレンが第１中和器から燃焼装置側に逆流してしまうことがなく、燃焼装置の金属部分が酸性ドレンによって腐蝕するのを防止できる。
【００２０】
しかも、第１中和器の第１ドレン排出通路からドレンが排出できなくなっても、第１中和器内のドレンは自動的に第２中和器に回収されて中和処理されるので、燃焼装置を使用し続けることができる。
【図面の簡単な説明】
【００２１】
【図１】本発明の実施形態に係る燃焼装置用中和器を備え、複数のガス給湯器を連結させて構成される連結給湯システムを示す模式図である。
【図２】本発明の実施形態に係る燃焼装置用中和器の概略構成図である。
【発明を実施するための形態】
【００２２】
本発明の燃焼装置用中和器の実施形態を図１及び図２を参照して説明する。図１は複数のガス給湯器１が互いに連結されると共に、各ガス給湯器１で発生したドレンを一括で回収して１台の燃焼装置用中和器３で中和させるようにした連結給湯システムを示した模式図である。図２は、各ガス給湯器１で発生した酸性ドレンを中和する燃焼装置用中和器３の概略構成を示した模式図である。
【００２３】
連結給湯システムは、複数のガス給湯器１と、各ガス給湯器１を制御する制御部２と、各ガス給湯器１で発生する酸性ドレンを一括回収して中和する燃焼装置用中和器３とを備える。
【００２４】
各ガス給湯器１は、燃料ガスを燃焼させて燃焼排気を生成するガスバーナ１２と、燃焼排気から顕熱を回収する顕熱交換器１３と、顕熱交換器１３により冷却された燃焼排気から潜熱を回収する潜熱交換器１４とから成る燃焼装置１１を備える。さらに、各ガス給湯器１は、ガスバーナ１２にガスを供給するガス供給管１５と、潜熱交換器１４及び顕熱交換器１３に通水させる通水管１６とを備える。
【００２５】
顕熱交換器１３は、ガスバーナ１２の直上に配置され、通水管１６に接続する吸熱管１３ａを蛇行状に曲げて構成されている。顕熱交換器１３は、ガスバーナ１２の燃焼排気により、吸熱管１３ａを流れる水を加熱するようになっている。吸熱管１３ａの回りには、吸熱管１３ａに対して交差するように併設させた多数のフィン１３ｂが設けられている。
【００２６】
また、潜熱交換器１４は、顕熱交換器１３の上方に配置され、通水管１６に接続する吸熱管１４ａを蛇行状に曲げて構成されている。潜熱交換器１４は、顕熱交換器１３を通過した燃焼排気により、吸熱管１４ａを流れる水を熱交換加熱するようになっている。
【００２７】
ガス給湯器１では、まず、潜熱交換器１４において、通水管１６を流れる常温の水が、顕熱交換器１３で冷却された燃焼排気から潜熱を回収して暖められる。その後、顕熱交換器１３において、吸熱管１３ａを流れる温水がガスバーナ１２の燃焼排気から顕熱を回収してお湯となって、ガス給湯器１から外部に給湯される。このようにして、通水管１６を流れる水は、潜熱交換器１４と顕熱交換器１３とにより効率よく加熱される。
【００２８】
ガス供給管１５は、各ガス給湯器１の上流側で分岐しており、各ガス給湯器１のガスバーナ１２と連通する構成となっている。そのため、分岐部より下流側のガス供給管１５で、各ガス給湯器１内に配置される箇所にガスバーナ１２への燃料ガスの供給量を調節するガス比例弁１５ａを設けている。これらガス比例弁１５ａにより、各ガス給湯器１に送るガス量を調整できるようにしている。
【００２９】
また、通水管１６は、各ガス給湯器１の上流側で分岐しており、この分岐部より下流側の通水管１６が各ガス給湯器１に配置され、分岐された各通水管１６が各ガス給湯器１の下流側で合流するようになっている。
【００３０】
また、各ガス給湯器１は、制御部２と通信接続される電装ユニット１７を備えている。電装ユニット１７は、制御部２から指示された給湯目標温度の湯が出湯されるように、ガス比例弁１５ａの開度を調節してガスバーナ１２の燃焼量を制御する。制御部２は、給湯量や給湯温度に応じてガス給湯器１の運転台数を増減させる。
【００３１】
各ガス給湯器１では、ガスバーナ１２で生成された燃焼排気は、潜熱交換器１４により潜熱が回収されると、燃焼排気中の水蒸気が凝縮しドレンが発生する。ドレンは、上述したように燃焼排気中の硫黄酸化物や窒素酸化物等を吸収したｐＨ４程度の酸性液体である。従って、そのまま排水すると、金属製の排水管や下水道管等を腐蝕させたり、コンクリート建造物を劣化させたり、あるいは、水質汚染等の問題を引き起こす原因となり得るため、ｐＨ７前後（ｐＨ５〜９の範囲内）となるように中和処理して排水することが好ましい。
【００３２】
そこで、本実施形態では、各ガス給湯器１において発生した酸性ドレンを回収するため、各潜熱交換器１４の下方にロート状のドレン受け１８を設け、これらドレン受け１８にドレン回収通路１９を接続している。さらに、各ガス給湯器１の外部に、全てのドレン受け１８に対して、ドレン回収通路１９を介して接続される燃焼装置用中和器３を設けている。燃焼装置用中和器３により、各ガス給湯器１で発生したドレンを一括して回収して酸性のドレンを中和するようにしている。
【００３３】
本実施の形態では、燃焼装置用中和器３は、ガス給湯器１内に設けられるドレン受け１８に対してドレン回収通路１９を介して接続される第１中和器４と、第１中和器４に連通管６を介して接続される第２中和器５とを備える。
【００３４】
第１中和器４は、図１及び図２に示すように、上部に空間を有するように中和剤７が充填される第１ケーシング４１を備えている。中和剤としては、炭酸カルシウムや酸化マグネシウム等のアルカリ性で粒状のものが挙げられる。
【００３５】
第１中和器４は、第１ケーシング４１内に、内部を下部が連通した状態で上流側室４４と下流側室４５とに仕切る仕切り板４３を設けている。この仕切り板４３は、上端が第１ケーシング４１の上面に接続され、両側面が第１ケーシング４１の側面に接続され、下端が第１ケーシング４１の底面と離間するように配置されており、上流側室４４と下流側室４５とが下部で連通するように構成されている。
【００３６】
第１中和器４の第１ケーシング４１には、上流側室４４を形成する第１ケーシング４１の上面で開口するようにドレン回収通路１９が接続され、上流側室４４を形成する第１ケーシング４１の側面でドレン回収通路１９の開口部よりも低く、中和剤より上方位置で開口するように連通管６の一端側が接続されている。また、第１ケーシング４１の側面には、下流側室４５における中和剤より上方位置で、連通管６の一端側開口部よりも低い位置で開口するように第１ドレン排出通路４２が接続されている。
【００３７】
さらに、第１ケーシング４１内には仕切り板４３の下端が浸漬するように水を充填させている。この充填された水と仕切り板４３とにより第１ケーシング４１内に、ドレン回収通路１９から第１ドレン排出通路４２へ燃焼排気が流れるのを阻止する第１水封部８１が形成される。
【００３８】
第１水封部８１により、第１ケーシング４１内における上流側室４４の上部空間部は下流側室４５の上部空間部に対して区画されるので、ドレン回収通路１９から第１ケーシング４１内に流入してきた燃焼排気が第１ドレン排出通路４２から外部に流出することを阻止することができる。
【００３９】
第２中和器５は、第１中和器４と同じ中和剤７が上部に空間を有するように充填された第２ケーシング５１を備えている。第２ケーシング５１は、第１ケーシング４１よりも容積が小さく、高さも低く、底面の位置が第１ケーシング４１の底面と同じ位置となるように配置されている。なお、第２ケーシング５１の容積は、第１ケーシング４１と同じ容積とすることもできる。さらに、第２中和器５は、底面の位置が第１中和器４の底面よりも低くなるように設置することもできるし、ドレン受け１８より下方位置であれば上面の位置が第１中和器４の上面よりも高くなるように設置することもできる。
【００４０】
第２中和器５も、第２ケーシング５１内に、内部を下部が連通した状態で上流側室５４と下流側室５５とに仕切る仕切り板５３を設けている。この仕切り板５３も、上端が第２ケーシング５１の上面に接続され、両側面が第２ケーシング５１の側面に接続され、下端が第２ケーシング５１の底面と離間するように配置されており、上流側室５４と下流側室５５とが下部で連通するように構成されている。
【００４１】
上流側室５４を形成する第２ケーシング５１の側面上部には、連通管６の他端側が接続されている。この連通管６の他端側開口部は、第１ケーシング４１内に開口させた連通管６の一端側開口部の開口位置よりも低い位置となるように、第２ケーシング５１内に開口させている。
【００４２】
さらに、下流側室５５を形成する第２ケーシング５１の側面上部で、連通管６の他端側開口部より低く、中和剤より上方の位置に、第２ドレン排出通路５２が接続されている。なお、連通管６の他端開口部と第２ドレン排出通路５２とは、第２ケーシング５１内の中和剤より上方位置で開口させている。
【００４３】
そして、第２ケーシング５１内に仕切り板５３の下端が浸漬するように水を充填させている。この充填された水と仕切り板５３とにより、第２ケーシング５１内に、ドレン回収通路１９から連通管６を介して第２中和器５の第２ドレン排出通路５２へ燃焼排気が流れるのを阻止する第２水封部８２が形成される。
【００４４】
第２水封部８２により、第２ケーシング５１における上流側室５４の上部空間部は下流側室５５の上部空間部に対して区画されるので、ドレン回収通路１９から第１ケーシング４１を介して第２ケーシング５１内に燃焼排気が流入してきても第２ドレン排出通路５２から外部に流出することを阻止することができる。
【００４５】
連通管６は、直線状の管で形成されており、一端側が第１中和器４における第１ケーシング４１の側面上部に接続され、他端側が第２中和器５における第２ケーシング５１の側面上部に接続されている。連通管６は、一端側開口部が他端側開口部よりも上方に位置するように一端側から他端側に下方に向けて傾斜するように配設されている。このように、連通管６は、一端側から他端側に下方に向けて傾斜するように配設されているので、第１ドレン排出通路４２から排出されなくなって、第１ケーシング４１の上流側室４４に溜まっていくドレンは、水位が連通管６の一端側開口部に至ると、第１中和器４から第２中和器５へとスムーズに流れる。
【００４６】
本実施形態では、第１中和器４がドレン回収通路１９を介して各ガス給湯器１で発生したドレンを直接回収し、第２中和器５には、ドレン受け１８から直接ドレンが回収されない構成となっている。
【００４７】
さらに、本実施形態では、図１では示していないが、図２に示すように、第１中和器４におけるドレンの詰まりを検出する詰まり検出手段となる水位センサー３１と、水位センサー３１の検出結果に基づいて第１中和器４でのドレンの詰まりを報知する報知手段３２とを備える。水位センサー３１は、第１ケーシング４１上面から上流側室４４内に挿入された状態で配設されており、第１ケーシング４１の上流側室４４内に溜まったドレンの水位が、連通管６の他端側開口部にまで上昇したときを詰まりが生じたとして検知するようになっている。この水位センサー３１が検知した結果は、制御部２に入力される。制御部２は、詰まりの検出結果を報知手段３２に出力して、報知手段３２にエラー報知をさせる。報知手段３２は、例えば、スピーカーやランプ等で構成することができる。
【００４８】
本実施形態１にかかる給湯器システムによれば、各ガス給湯器１での燃焼運転により発生した酸性のドレンは、各ガス給湯器１に設けるドレン受け１８に落下し、ドレン回収通路１９を介して燃焼装置用中和器３に一括して回収される。
【００４９】
具体的には、ドレン受け１８に落下した酸性ドレンは、ドレン回収通路１９を介して第１中和器４の第１ケーシング４１内に貯留されていく。第１中和器４に回収された酸性のドレンは第１ケーシング４１内の中和剤７で中和される。そして、第１中和器４では、ドレンの量が第１ドレン排出通路４２の開口部にまで至ると、中和されたドレンが、第１ドレン排出通路４２から外部に排出される。
【００５０】
また、万一、反応生成物等により第１中和器４に詰まりが生じて第１ドレン排出通路４２からドレンが排出されなくなった場合には、第１中和器４の第１ケーシング４１内、特に、上流側室４４内にドレンが充満していくが、第１ケーシング４１内のドレンは、ガス給湯器１側に逆流することなく、連通管６を介して第２中和器５の第２ケーシング５１内に流出する。
【００５１】
そして、第２中和器５に流れ込んだドレンは、第２中和器５の中和剤７で中和される。第２中和器５では、ドレンの量が第２ドレン排出通路５２の開口部にまで至ると、この第２ドレン排出通路５２から外部に中和されたドレンが排出される。
【００５２】
このように、本実施の形態では、第１中和器４の第１ドレン排出通路４２から外部にドレンを排出することができなくなっても、第１中和器４に溜まったドレンを自動的に連通管６を介して第２中和器５に送り、中和されたドレンを外部に排出することができる。
【００５３】
その結果、第１中和器４の第１ドレン排出通路４２が詰まっても、ドレンが第１中和器４からガス給湯器１側に逆流してしまうことがないので、ガス給湯器１の金属部分が酸性ドレンによって腐蝕するのを防止することができる。
【００５４】
さらに、第１中和器４の第１ドレン排出通路４２からドレンが排出できない場合には、第１中和器４内のドレンは自動的に第２中和器５に回収されて中和処理された後に外部に排出されるので、業者等は第２中和器５からのドレン排出をチェックすることにより、容易に第１中和器４の詰まりを把握することができるし、報知手段３２によるエラー報知によっても第１中和器４の詰まりを把握することができる。その結果、第１中和器４の詰まりを直ぐに把握して、その詰まりを除去することで直ちに第１中和器４を正常な状態に戻すことができる。
【００５５】
特に、第１中和器４の詰まりを水位センサー３１で検知して、報知手段３２によるエラー報知を行なうので、このエラー報知により第１中和器４のメンテナンスを促しつつ、第２中和器５を用いてガス給湯器１を使用し続けることができ、使い勝手を向上させることができる。また、第１中和器４の詰まりを検出してエラー報知されてから、所定時間経過後にガス給湯器１を停止させるようにしてもよく、この場合も安全性を確保することができる。さらに、第２中和器５の詰まりを検出するようにしてもよく、この場合、第２中和器５の詰まりを検出したときにガス給湯器１を停止するようにすれば、メンテナンスされずに使い続けても、ドレンが第１中和器４からガス給湯器１側には逆流しないので安全性を確保できる。
【００５６】
また、第1中和器４において詰まりが生じた後もガス給湯器１を使用し続けることにより発生したドレンは第２中和器５で処理するため、第２中和器５は、第1中和器４において詰まりが生じてからメンテナンスを行なうまでの間のドレン中和処理能力があれば足り、第２中和器５は第１中和器１よりも小さくすることができる。
【００５７】
ところで、各ガス給湯器１に個別に中和器を設けた場合、各中和器内の中和剤の交換は、中和器毎に個別に行う必要があるが、本実施の形態では、各ガス給湯器１で発生したドレンを一括して第１中和器４に回収するようになっているので、中和器毎に中和剤の交換を行う煩雑な作業を行なわなくて済む。
【００５８】
なお、実施形態(図１及び図２)において、第２中和器５の内部を、仕切り板５３により、下部が連通する上流側室５４と下流側室５５とに仕切り、仕切り板５３の下端が浸漬するように水を溜めて第２水封部８２を形成したが、仕切り板５３は設けないようにすることもできる。この場合には、連通管６の途中に下方に突出してＵ字状に湾曲するＵ字状部を形成し、このＵ字状部に水を充填させることにより水封部を形成する。
【００５９】
このような構成にすることにより、第１中和器４の第１水封部８１により、ドレン回収通路１９から第１ドレン排出通路４２へ燃焼排気が流れるのを阻止し、連通管６に設けるＵ字状部からなる水封部により、ドレン回収通路１９から第２中和器５の第２ドレン排出通路５２から外部に燃焼排気が流れるのを阻止することができる。
【００６０】
さらに、上記実施形態では、連通管６は、直線状の管を一端側から他端側に下方に向けて傾斜するように配設させたが、連通管６の他端側開口部の上下方向の位置が、ドレン回収通路１９の第１ケーシング４１への開口部の位置以下となるように、第１中和器４と第２中和器５とを接続するように連通管６を配設することもできる。例えば、連通管６は、直線状の管や途中にＵ字状のトラップを有する管を両端開口部の上下方向の位置が同じになるように第１中和器４及び第２中和器５に接続したり、直線状の管を一端側から他端側に上方に向けて傾斜するように接続したりすることができる。このような構成でも、第１中和器４から第２中和器５へドレンを流すことはでき、第１中和器４からドレン受け１８へのドレンの逆流は防止できる。
【００６１】
また、上記実施形態１及び２では、複数のガス給湯器に対して１台の燃焼装置用中和器を接続させるようにしたが、本発明の燃焼装置用中和器は、１台のガス給湯器に対して１台の燃焼装置用中和器を接続することもできる。
【符号の説明】
【００６２】
１  ガス給湯器
２  制御部
３  燃焼装置用中和器
４  第１中和器
５  第２中和器
６  連通管
７  中和剤
８１，８２  水封部
１１  燃焼装置
１２  ガスバーナ
１３  顕熱交換器
１３ａ  吸熱管
１３ｂ  フィン
１４  潜熱交換器
１４ａ  吸熱管
１５  ガス供給管
１５ａ  ガス比例弁
１６  通水管
１７  電装ユニット
１８  ドレン受け
１９  ドレン回収通路
３１  水位センサー
３２  報知手段
４１  第１ケーシング
４２  第１ドレン排出通路
４３  仕切り板
４４  上流側室
４５  下流側室
５１  第２ケーシング
５２  第２ドレン排出通路
５３  仕切り板
５４  上流側室
５５  下流側室
【図１】
2010276248.tif 000003
【図２】
2010276248.tif 000004